【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
蒸気タービンの緊急遮断弁の弁棒用の弁エクササイザであって、前記タービンの作動中に前記緊急遮断弁をエクササイズさせることができ、前記緊急遮断弁は、蒸気入口と、蒸気出口と、前記蒸気入口と前記蒸気出口との間の開口部とを有する緊急遮断本体を有し、前記弁エクササイザは：
前記弁エクササイザの構成部品を支持するための、前記緊急遮断弁本体に接続されるカバーと；
前記カバー内の通路を通って前記緊急遮断弁本体のキャビティへ延在し、垂直方向の往復動が可能な弁棒であって、前記弁棒の下部が、遮断位置で緊急遮断用の開口部を塞ぐようになされた第１の側と、前記カバーに支持されて常用の稼働位置で前記通路と前記キャビティとの間を塞ぐようになされた第２の側とを有する両側プラグを有する、弁棒と；
前記カバーに枢着されると共に付勢されて前記弁棒に接触し、前記弁棒及び前記両側プラグを前記遮断位置に動かすレバーアームであって、前記常用の稼働位置では、前記レバーアームはトリップアームにより静止状態に保持され、前記遮断位置では前記レバーアームがトリップして前記両側プラグが前記開口部を塞ぐ、レバーアームと；
前記レバーアームの下方で前記弁棒に係合する下部リングであって、前記下部リングに当って前記レバーアームが移動して前記緊急遮断弁を閉鎖する、下部リングと；
前記弁棒の上部と前記レバーアームとの間に配置され、かつ圧縮されて前記弁棒及び前記両側プラグを上方へ付勢することにより、前記両側プラグの前記第２の側が前記通路と前記キャビティとの間の密閉を維持する、圧縮ばねと；
前記レバーアームに螺合され、回転及び前進して前記下部リングに係合し、前記弁棒を下方へ動かすことにより前記緊急遮断弁をトリップすることなく前記緊急遮断弁のエクササイズを行うことができるストロークボルトとを備える弁エクササイザ。
【請求項２】
前記下部リングが下部ナットであり、前記下部ナット及び対向する押付ナットが前記弁棒に螺合され、相互に締め付け、固定されている、
請求項１に記載の弁エクササイザ。
【請求項３】
前記弁棒に係合し、前記ストロークボルトのヘッドと前記レバーアームとの間に配置されているストローク押付リングをさらに含み、前記常用の稼働位置において、前記ストローク押付リングが前記ストロークボルトへ付勢され、前記ストロークボルトの回転を防止する、
請求項１に記載の弁エクササイザ。
【請求項４】
前記ストローク押付リングは、前記弁棒に螺合され、前記レバーアームに対して締め付けられることで前記ストロークボルト１００を所定の位置に固定させることができる押付ナットである、
請求項３に記載の弁エクササイザ。
【請求項５】
前記レバーアームと前記弁棒上にある上部リングとの間において前記弁棒の周りに固定されている回転ブロックをさらに含み、前記回転ブロックは横方向運動のためのガイドを有し、前記横方向ガイドと係合可能な長方形の台と前記台から延在するピンとで構成されるコネクタをさらに備え、前記レバーアームの弧状運動が前記レバーアーム、前記コネクタ、及び前記弁棒の間の配置により吸収されるよう、前記レバーアームが前記ピンに枢着される、
請求項１に記載の弁エクササイザ。
【請求項６】
前記圧縮ばねが、前記ストロークボルトの前記ヘッドと前記弁棒の上部ナットとの間に捕捉される対向する２つのばね座によって挟まれる、
請求項１に記載の弁エクササイザ。
【請求項７】
前記圧縮ばねの弾性変形の範囲を超えたばね変形を防止するために、前記圧縮ばね内にスペーサをさらに含む、
請求項１に記載の弁エクササイザ。
【請求項８】
前記常用の稼働位置において、前記下部リングと前記レバーアームとの間には前記レバーアームと係合することなく、前記弁棒の熱膨張を吸収することが可能な空隙がある、
請求項１に記載の弁エクササイザ。
【請求項９】
前記レバーアームが、前記レバーアームと前記カバーとの間に接続された、前記レバーアームを付勢する弁トリップばねにより遮断位置へ付勢されている、
請求項１に記載の弁エクササイザ。
【請求項１０】
前記カバーから、前記レバーアームの枢動により画成される同一平面に沿って延在するレバーアームスタビライザをさらに含み、前記レバーアームスタビライザが前記レバーアームの運動を制限することで前記レバーアームが横方向運動することなく上下移動することが可能である、
請求項１に記載の弁エクササイザ。
【請求項１１】
調整可能な垂直方向の止めねじが前記レバーアームの上方において前記レバーアームスタビライザから延在し、前記レバーアームの移動の上限を定める、
請求項１０に記載の弁エクササイザ。
【請求項１２】
前記レバーアームスタビライザがＵ字型であり、前記ストロークボルトが回転して前記弁のエクササイズを行うときに生じる前記レバーアームの横方向の移動を制限するよう、調整可能な止めねじが前記レバーアームスタビライザの各側面から横方向に延在する、
請求項１１に記載の弁エクササイザ。
【請求項１３】
前記遮断弁が作動し、リセットしなければならないときに、前記トリップアームのナイフエッジが前記レバーアーム内にリセットできるように、前記垂直方向の止めねじが上方に動かされて前記レバーアームが作動範囲を超えて移動することが可能となる、
請求項１２に記載の弁エクササイザ。
【請求項１４】
前記通路の上部及び下部において前記弁棒を横方向に支持するブッシュをさらに含む、
請求項１に記載の弁エクササイザ。
【請求項１５】
蒸気タービンの緊急遮断弁の弁棒用の弁エクササイザであって、前記タービンの作動中に前記緊急遮断弁をエクササイズさせることができ、前記緊急遮断弁は、蒸気入口と、蒸気出口と、前記蒸気入口と前記蒸気出口との間の開口部とを有し、前記弁エクササイザは： 
前記弁エクササイザの構成部品を支持するための、前記緊急遮断弁の本体に接続されるフレームと；
前記フレーム内の通路を通って前記遮断弁の本体のキャビティへ延在し、垂直方向の往復動が可能な弁棒であって、前記弁棒の下部が、遮断位置で緊急遮断用の開口部を塞ぐようになされた第１の側と、前記フレームに当って常用の稼働位置において前記通路と前記キャビティとの間を塞ぐようになされた第２の側とを有する両側プラグを有する、弁棒と；
前記フレームに枢着され、そして付勢されて前記弁棒に接触し、前記弁棒及び前記両側プラグを前記遮断位置に動かすレバーアームであって、前記常用の稼働位置において、前記レバーアームはトリップアームにより静止状態に保持され、遮断位置において前記レバーアームがトリップして前記両側プラグが前記開口部を塞ぐ、レバーアームと；
前記レバーアームの下方で前記弁棒に係合する下部ナットあって、前記下部ナットに当って前記レバーアームが移動して前記弁を閉鎖する、下部ナットと；
前記弁棒の上部と前記レバーアームとの間に配置され、かつ圧縮されて前記弁棒及び前記両側プラグを上方へ付勢することにより、前記両側プラグの前記第２の側が前記通路と前記キャビティとの間の密閉を維持する、圧縮ばねと；
前記レバーアームに螺合され、回転及び前進して前記下部ナットに係合し、前記弁棒を下方へ動かすことにより前記弁をトリップすることなく前記弁のエクササイズを行うことができるストロークボルトと；
前記レバーアームと前記弁棒上にある上部ナットとの間において前記弁棒の周りに固定される回転ブロックであって、前記回転ブロックは横方向運動のためのガイドを有し、前記横方向ガイドと係合可能な長方形の台と前記台から延在するピンとで構成されるコネクタをさらに備え、前記レバーアームの弧状運動が前記レバーアーム、前記コネクタ、及び前記弁棒の間の配置により吸収されるよう、前記レバーアームが前記ピンに枢着されている、回転ブロックと；
前記フレームから前記レバーアームの枢動により画成される同一平面に沿って延在するレバーアームスタビライザであって、前記レバーアームスタビライザが前記レバーアームの運動を制限することで前記レバーアームが横方向運動することなく上下移動することが可能である、レバーアームスタビライザとを備える弁エクササイザ。
【請求項１６】
蒸気タービンの作動中に前記タービンの緊急遮断弁の弁棒のエクササイズを行う方法であって、
ａ）前記緊急遮断弁は、蒸気入口と、蒸気出口と、前記蒸気入口と前記蒸気出口との間の開口部を有する緊急遮断弁本体を有し；
ｂ）前記緊急遮断弁本体には、前記弁棒をエクササイズするのに用いられる構成部品を支持するカバーが接続され；
ｃ）前記カバーには、弁棒が垂直方向の往復運動が可能なように前記カバー内の通路を通って前記緊急遮断弁弁本体のキャビティへ延在し、
ｄ）前記弁棒の下部は、遮断位置で緊急遮断用の前記開口部を塞ぐようになされた第１の側と、前記カバーに当って常用の稼働位置で前記通路と前記キャビティとの間を塞ぐようになされた第２の側とを有する弁プラグを有し、
ｅ）レバーアームが、前記カバーに枢着され、そして前記弁棒及び前記弁プラグに接触し、前記弁棒及び前記弁プラグを前記遮断位置に動かすように付勢され、前記常用の稼働位置で、前記レバーアームはトリップアームにより静止状態に保持され、遮断位置で前記レバーアームがトリップして前記弁プラグが前記開口部を塞ぎ；および
ｆ）圧縮ばねが、前記弁棒の上部と前記レバーアームとの間に配置され、かつ圧縮され、前記レバーアームが前記弁棒及び前記弁プラグを上方へ押し上げることにより、前記弁プラグの前記第２の側が前記通路と前記キャビティとの間の密閉を維持し；
前記方法は：
１）前記弁プラグが前記通路から分離して前記緊急遮断弁のエクササイズを行うまで前記弁棒を下方へ移動させ、その際に、前記弁プラグを前記開口部から十分離れた位置に保持して前記緊急遮断弁を前記常用の稼働位置に維持するステップ；および  
２）前記レバーアームの上向きの垂直方向行程を、前記緊急遮断弁のエクササイズ時に前記緊急遮断弁をトリップさせない範囲に制限するステップ；を備える方法。
【請求項１７】
前記弁棒を下方に動かした後、前記弁プラグが前記通路と前記キャビティとの間の密閉を維持できる位置まで前記弁棒を上方に動かすステップをさらに含む、
請求項１６に記載の蒸気タービンの緊急遮断弁の弁棒のエクササイズを行う方法。
【請求項１８】
前記弁棒を下方へ動かす前記ステップが、前記レバーアームに螺合されて前記弁棒を下方へ付勢しているストロークボルトを回転させるステップを含む、
請求項１６に記載の蒸気タービンの緊急遮断弁の弁棒のエクササイズを行う方法。
【請求項１９】
前記弁棒を下方へ動かす前記ステップが、前記レバーアームの下で下部リングを前記弁棒に係合させるステップと、前記弁棒を下方へ付勢する前記ストロークボルトにより前記下部リングを下方へ付勢するステップとをさらに含む、
請求項１８に記載の蒸気タービンの緊急遮断弁の弁棒のエクササイズを行う方法。
【請求項２０】
前記レバーの横方向行程を、前記弁棒から離れた位置で、前記緊急遮断弁をトリップさせない範囲に制限するステップをさらに含む、
請求項１８に記載の蒸気タービンの緊急遮断弁の弁棒のエクササイズを行う方法。